(57)【要約】【課題】  機密文書について、その機密性を保持しつつ、破砕処理し、回収し、古紙として再生パルプ化し、再生紙を生産し、更に再生製品を生産し、リサイクルの輪をネットワーク上で実現する。【解決手段】  機密文書を古紙として排出する機密文書排出側と、破砕運搬車などを所有し機密を保持しつつ機密文書を破砕、運搬する破砕運搬処理側と、破砕された古紙を溶解し再パルプ化する設備を有するとともに再生紙を生産する紙再生側と、再生紙により各種再生製品を生産する再生製品生産側とをネットワークで互いに接続し、当該ネットワーク上に機密文書回収管理サーバを設置して、各々が必要とするデータを送受信し、当該機密文書回収管理サーバでデータを総合して最適化し、機密文書の排出から再生製品の生産、使用までのスケジュールを一元的に管理する。【選択図】  図１
2005041664.tif 000002
【特許請求の範囲】
【請求項１】
機密文書を古紙として排出する機密文書排出側と、破砕運搬車などを所有し機密を保持しつつ機密文書を破砕、運搬する破砕運搬処理側と、破砕された古紙を溶解し再パルプ化する設備を有するとともに再生紙を生産する紙再生側と、再生紙により各種再生製品を生産する再生製品生産側とをネットワークで互いに接続し、当該ネットワーク上に機密文書回収管理サーバを設置して、各々が必要とするデータを送受信し、当該機密文書回収管理サーバでデータを総合して最適化し、機密文書の排出から再生製品の生産、使用までのスケジュールを一元的に管理することを特徴とした機密古紙回収再生システム。
【請求項２】
機密文書回収管理サーバにセキュリティシステムを導入した請求項１記載の機密古紙回収再生システム。
【請求項３】
機密文書回収管理サーバは機密文書排出側登録データベース、破砕運搬側登録データベース、紙再生側登録データベース、再生製品生産側登録データベースを保有し、機密文書排出側が排出側データをネットワークを介して機密文書回収管理サーバに送信し、当該機密文書回収管理サーバでは、上記排出側データ及び上記各データベースを参照して、破砕運搬管理手段により破砕運搬処理側を選択して破砕運搬スケジュールを作成し、紙再生処理管理手段により紙再生側を選択して紙再生処理スケジュールを作成し、再生製品生産管理手段により再生製品生産側を選択して再生製品生産スケジュールを作成し、これらを最適化し、これに従って機密文書の破砕、運搬、再生紙化、再製品化を行う請求項１又は請求項２に記載の機密古紙回収再生システム。
【請求項４】
破砕運搬管理手段は、受信した排出側データに適合する処理能力を持つ破砕運搬処理側を破砕運搬側登録データベースからリストアップし、リストアップされた破砕運搬処理側を機密文書排出側に短時間で到達できる順に並び替え、リストアップされた破砕運搬処理側の所有する破砕運搬車の稼働スケジュールデータを参照して機密文書排出側の希望する処理日程に適合する破砕運搬処理側に絞り込み、絞り込まれた破砕運搬処理側のリストとその破砕運搬スケジュールを作成し、上記破砕運搬処理側リストと破砕運搬スケジュールを機密文書排出側にネットワークを介して送信提示してその選択の指示を受け、機密文書排出側により選択された破砕運搬処理側に対してその破砕運搬スケジュールを送信して承諾を得、承諾後、機密文書排出側に破砕運搬内容を再確認し、破砕運搬スケジュールを確定し、その確定した破砕運搬スケジュールデータを破砕運搬スケジュール・テーブルに登録するものである請求項３に記載の機密古紙回収再生システム。
【請求項５】
紙再生処理管理手段は、機密文書排出側に近い紙再生側を紙再生側登録データベースからリストアップし、前記破砕運搬スケジュール・テーブルを参照して排出される紙質と分量のデータを取得し、上記紙再生側リストから適合する紙再生側に絞り込み、絞り込まれた紙再生側の紙再生処理スケジュールを紙再生側登録データベースから取得し、破砕屑の受け入れ可能な紙再生側に絞り込み、上記絞り込まれた紙再生側のリストと紙再生処理スケジュールを作成し、上記紙再生側リストと紙再生処理スケジュールを破砕運搬処理側にネットワークを介して送信提示して選択の指示を受け、破砕運搬処理側により選択された紙再生側に対し紙再生処理スケジュールを送信し承諾を得、紙再生側の承諾後、破砕運搬処理側に紙再生処理内容の再確認をし、紙再生処理スケジュールを確定し、その確定した紙再生処理スケジュールデータを紙再生処理スケジュール・テーブルに登録するものである請求項３に記載の機密古紙回収再生システム。
【請求項６】
再生製品生産管理手段は、紙再生処理を受託した紙再生側に近い再生製品生産側を再生製品生産側登録データベースからリストアップし、前記破砕運搬スケジュール・テーブルから機密文書排出側の再生製品購入の希望の有無、製品種別、数量などのデータを取得し、再生製品生産側登録データベースから適合する再生製品生産側をリストアップし、リストアップされた再生製品生産側の生産スケジュールデータを参照して生産受託可能な再生製品生産側に絞り込み、上記絞り込まれた再生製品生産側のリストと再生製品生産スケジュールを作成し、上記再生製品生産側リストと再生品生産スケジュールを機密文書排出側にネットワークを介して送信提示して選択の指示を受け、機密文書排出側により選択された再生製品生産側に対し再生製品生産スケジュールを送信し承諾を得、再生製品生産側の承諾後、機密文書排出側に再生製品生産内容の再確認をし、再生製品生産スケジュールを確定し、その確定した再生製品生産スケジュールデータを再生製品生産スケジュール・テーブルに登録するものである請求項３に記載の機密古紙回収再生システム。
【発明の詳細な説明】
【技術分野】
【０００１】
この発明は、古紙を回収して再生パルプ化し、再生紙を生産し、再生製品を生産するリサイクルシステムに関する。特に、不要になった機密文書を、機密を保持したままで破砕処理し、回収して古紙として再生パルプ化し、再生紙を生産し、再生製品を生産するものであって、これらを統合した管理システムを作り、ネットワーク上でデータの送受信をし、機密文書のリサイクルを一元的に管理するものである。
【背景技術】
【０００２】
従来、オフィスなどでは、業務上、技術文書、経理書類や顧客の個人情報にかかわる文書など、機密性の高い文書が日々発生している。これらの機密文書は一定年限保管された後、裁断し排出されるのが通例である。裁断された文書、即ち裁断紙屑は、一部古紙として回収され再生紙化されて再利用されているが、残りは廃棄物として焼却処分されたりしている。紙は再資源化が可能な天然資源であるから可能な限り再生されることが社会的ニーズであり、従来焼却されている部分を再生ルートに取り込むことが課題とされている。
【０００３】
機密文書の大口の排出者は、例えば金融機関や保険会社などであるが、個人のプライバシーにかかわる情報が記載された文書などが定期的に大量に破砕し排出されている。大口排出者の場合、従来は自社施設内に集中管理センターを設置し、大型シュレッダーを設備して自社内で細断した上でリサイクル業者に渡すか、守秘契約を結んだ上でリサイクル業者に細断とリサイクルを委託していた。細断処理を外部委託する場合、細断作業場所までの運搬時のセキュリティ確保手段、細断処理時の立ち会いその他のセキュリティ確保手段など慎重に対処すべき課題があり、手間暇、経費が増大する傾向がある。いずれにしても機密を要する文書であるから、シュレッダーにより細断処理される場合がほとんどである。紙のシュレッダー屑は元の体積の１０倍近い体積になるので、再生処理業者まで運ぶ輸送コストがかさむ難点があった。
【０００４】
一方、小口の排出者は、破砕機等を自社設備するに至らない事業者も多数あり、リサイクル業者に処理を委託するか、小型シュレッダーを設置して細断し、事業系廃棄物として廃棄すなわち焼却されているものがほとんどである。そこで、機密文書の排出の第３の方法として、破砕機を搭載した運搬車で設備のない事業所を訪問し、その場で機密文書を破砕し機密保持の立ち会い確認を受けた上で再生処理業者に持ち込む処理方法が提案されている。例えば、特許文献１に示すような廃棄物処理自動車である。このような破砕運搬車を使用すれば、機密文書の機密性を保持したまま、機密文書を破砕し、再生処理業者まで運搬することができる。
【０００５】
しかし、大口小口を問わず、破砕屑の発生する日時、量は一定しておらず、ひいては再生製紙原料としての取引価格の不安定をも招いている。破砕屑を原料として供給を受ける再生処理業者（再生パルプメーカー、製紙会社）にとっては、再生紙を生産するための再生原料の安定供給は安定操業のための大きな課題となっている。また、排出量の不定は、中間業者たるリサイクル業者、運搬業者にとっても供給過剰のときの破砕屑の貯留場のスペース確保、供給不足のときの貯留スペースの空きの発生などの問題、破砕運搬車の効率的運用の障害を生じている。再生紙生産のための紙質の一定した材料の一定数量の安定確保は再生パルプ業者、製紙会社にとって、恒常的に再生紙を生産するための必須要件である。
【０００６】
また、再生される紙の種別は、排出される文書の紙質により左右される。排出される紙が上質紙のみからなる場合（以下、上質古紙という）、再生上質紙、例えば、再生コピー用紙、印刷紙に再生できる。排出される紙が上質紙以外の感熱紙や印刷物など雑多なものが混合されている（以下、混合古紙という）と、家庭衛生紙、いわゆるティッシュペーパー、トイレットペーパーや、雑誌用紙、板紙に再生される。従って、排出元での紙質が再生される紙の種別を左右する。上質古紙の数量がまとまれば、上質紙に再生できるが、まとまらない場合は、他の混合古紙と一緒に処理し、家庭衛生紙や雑誌用紙、板紙など、上質紙と較べると格下の紙に再生せざるを得ず、商品価値の低下すなわち利益損失を招くことになる。
【０００７】
古紙再生の設備的な面からみると、原料が上質古紙のみの場合、再生パルプ化工程が通常のパルプ化設備と脱墨装置で足りるのに対し、混合古紙の場合は、脱墨装置に更に異物除去装置、感熱感圧紙の化学処理装置などを付加する必要があり、再生パルプ業者の場合、保有する装置により各々処理可能な紙質が異なる。
【０００８】
また、製紙工程（抄紙工程）においても、紙質により抄紙機のタイプが異なるので、求める再生紙の種別が異なれば、再生紙メーカー（製紙会社）の選択も異なることになる。例えば、機密文書の排出者が自ら排出した古紙を再生メモ用紙として活用したい場合、排出する古紙は上質紙のみ分別排出する必要があるが、再生パルプメーカー、製紙メーカーの選択は、さほど難しくない。ただし、メモ用紙はノート系の生産設備を有する加工メーカーに生産委託しないと生産できないという条件がある。また、トイレットペーパー（ティッシュペーパー）を希望する場合、排出古紙は混合古紙でよいが、再生パルプメーカーは混合古紙に対応できる設備を有するメーカーを選び、また製紙会社もトイレットペーパー（ティッシュペーパー）用の抄紙機、設備を有するメーカーを選ぶ必要がある。
【０００９】
現在、オフィスなどから排出される機密文書を再生処理して得られる紙の種別は、紙質順にいうと、上質紙、家庭衛生紙（トイレットペーパー、ティッシュペーパー）、雑誌用紙（週刊誌、漫画雑誌）、板紙がある。これらの内、上質紙は上質古紙から、その他の紙は混合古紙から生産される。また、これらの紙の内、家庭衛生紙は消費用最終製品であるが、他の紙は製品とするには何らかの加工が必要である。
【００１０】
上記の紙を消費用最終製品に加工すると、下記のようになる。
紙の種別    ：    最終製品              ：    生産業者
−−−−−−−−−−−−−−−−−−−−−−−−−−−−−−−−−−−−−−−
上質紙        ：  コピー用紙              ：  製紙メーカー
：  ノート、メモ用紙        ：  ノートメーカー
家庭衛生紙    ：  トイレットペーパー      ：  製紙メーカー
：  ティッシュペーパー      ：  製紙メーカー
板紙          ：  紙製ファイル            ：  ファイルメーカー
：  クリップボード          ：  ファイルメーカー
：  ファイルボックス        ：  ファイルメーカー、紙器メーカー
：  紙器                    ：  紙器メーカー
雑誌用紙      ：  週刊誌、漫画雑誌（排出者自身は使用できず、外販する）
−−−−−−−−−−−−−−−−−−−−−−−−−−−−−−−−−−−−−−−
【００１１】
上記のように、排出者において排出した機密文書を再生処理した再生製品を使用したいと希望する場合、再生製品の生産の段階で各々の製品に応じた生産業者に加工の指示をする必要がある。これらの指示は、多業種にわたる機密文書排出者自身には不可能であり、各製品の知識や生産ノウハウを持つ専門業者の介在が不可欠である。
【００１２】
以上の通り、オフィスから排出される機密文書を機密性を保持しつつ廃棄処分し、紙として再生利用しリサイクルの輪を完成させるには、様々な課題が存在している。大きくは、全体を通じての排出紙質と必要製品の諸条件の把握管理であり、各段階では、破砕運搬段階での破砕運搬車の効率運用、すなわち破砕運搬業者の選択と移動経路設定、紙再生処理段階での再生工程の効率運用、すなわち紙再生業者の選択と紙質選択、再生製品生産段階での製品化の効率運用、すなわち再生製品生産業者の選択と納品経路設定、といった課題がある。従って、これらを統合した管理システムを作り上げ、機密文書のリサイクルの輪を一元的に管理し、再生製品の生産上の専門性をシステム的にカバーできるようにすることが必要となる。
【００１３】
これらの目的を一部実現するものとして、例えば特許文献２から特許文献５に示すものがある。特許文献２は「ごみ回収方法およびそのシステム並びにその記録媒体」に関するもので、ホテル・レストラン等から排出される生ごみを対象としたものであるが、コンピュータネットワーク上でごみ回収の依頼を受け付け、ごみ回収のスケジュールの調整等を行い、ごみ回収車を効率よく運行できるようにしたものである。また、特許文献３は「ネットワークを利用した再利用資源物リサイクルシステム」に関するもので、印刷工場の排紙を対象とし、そのリサイクルに関する情報を情報管理拠点で一元的に管理することにより、各拠点で必要とされる情報をネットワークを通じて効率よく提供するとともに、情報の共有化を図りリサイクル事業の円滑化と効率化を促進するものである。また、特許文献４は「資源化物回収方法及び配車立案装置」に関するもので、主に瓶、缶、廃プラスチック等を対象とし、廃棄物を、移動式の選別梱包プラントにより資源化物に選別梱包する梱包工程と、この選別梱包された資源化物を対応種別の資源化工場へ回収車にて搬送する回収工程と、回収計画における回収車の配車計画を立案する配車計画工程を備えたものである。また、特許文献５は「空荷車両利用輸送システム及びそのサーバ」に関するもので、不特定多数の荷主がネットワークを介してリアルタイムで自己の荷物輸送に適合する複数運送業者の空荷トラックを検索、抽出し、利用できるようにしたものである。
【００１４】
【特許文献１】特開平１０−３０５９０２号公報
【特許文献２】特開２００２−６０００３号公報
【特許文献３】特開２００２−９２２６８号公報
【特許文献４】特開２００２−２１１７０４号公報
【特許文献５】特開２００２−８７５４４号公報
【発明の開示】
【発明が解決しようとする課題】
【００１５】
しかしながら、上記各特許文献に開示された発明は、いずれもが部分的なものであって、紙、特に機密文書について、その機密性を保持しつつ、破砕処理し、回収し、古紙として再生パルプ化し、再生紙を生産し、更に再生製品を生産するといった、リサイクルの輪をネットワーク上で実現したものは、未だ提案されていないのが現状である。
【００１６】
本発明は、上述したように、機密文書を機密性を保持したままで破砕する段階、これを回収する段階、再生パルプ化する段階、再生紙を生産する段階、再生製品を生産する段階のそれぞれにおいて解決すべき課題が存在する現状に鑑み、これらを統合した管理システムを提案することを目的とするものである。
【００１７】
すなわち、書類破砕機を搭載するとともに破砕屑の収容空間を有する破砕運搬車を使用して、機密文書を破砕、回収、収集し、機密文書の機密性を保ちつつ運搬効率を高めるとともに、ネットワークを介して再生パルプ化行程及び再生紙化工程、更に再生製品生産工程の相互の連携を高め、機密古紙の排出から再生製品の生産、使用までのリサイクルの輪を効率よく運用し、商業ベースでの採算性を向上させるようにしたものである。
【課題を解決するための手段】
【００１８】
上記課題を解決するため、請求項１記載の発明では、機密文書を古紙として排出する機密文書排出側と、破砕運搬車などを所有し機密を保持しつつ機密文書を破砕、運搬する破砕運搬処理側と、破砕された古紙を溶解し再パルプ化する設備を有するとともに再生紙を生産する紙再生側と、再生紙により各種再生製品を生産する再生製品生産側とをネットワークで互いに接続し、当該ネットワーク上に機密文書回収管理サーバを設置して、各々が必要とするデータを送受信し、当該機密文書回収管理サーバでデータを総合して最適化し、機密文書の排出から再生製品の生産、使用までのスケジュールを一元的に管理するという手段を採用した。
【００１９】
また、請求項２では、上記機密文書回収管理サーバにセキュリティシステムを導入するという手段を採用した。
【００２０】
また、請求項３では、上記請求項１又は請求項２に記載の機密古紙回収再生システムにおいて、機密文書回収管理サーバは機密文書排出側登録データベース、破砕運搬側登録データベース、紙再生側登録データベース、再生製品生産側登録データベースを保有し、機密文書排出側が排出側データをネットワークを介して機密文書回収管理サーバに送信し、当該機密文書回収管理サーバでは、上記排出側データ及び上記各データベースを参照して、破砕運搬管理手段により破砕運搬処理側を選択して破砕運搬スケジュールを作成し、紙再生処理管理手段により紙再生側を選択して紙再生処理スケジュールを作成し、再生製品生産管理手段により再生製品生産側を選択して再生製品生産スケジュールを作成し、これらを最適化し、これに従って機密文書の破砕、運搬、再生紙化、再製品化を行うという手段を採用した。
【００２１】
そして、請求項４では、上記請求項３に記載の発明において、破砕運搬管理手段は、受信した排出側データに適合する処理能力を持つ破砕運搬処理側を破砕運搬側登録データベースからリストアップし、リストアップされた破砕運搬処理側を機密文書排出側に短時間で到達できる順に並び替え、リストアップされた破砕運搬処理側の所有する破砕運搬車の稼働スケジュールデータを参照して機密文書排出側の希望する処理日程に適合する破砕運搬処理側に絞り込み、絞り込まれた破砕運搬処理側のリストとその破砕運搬スケジュールを作成し、上記破砕運搬処理側リストと破砕運搬スケジュールを機密文書排出側にネットワークを介して送信提示してその選択の指示を受け、機密文書排出側により選択された破砕運搬処理側に対してその破砕運搬スケジュールを送信して承諾を得、承諾後、機密文書排出側に破砕運搬内容を再確認し、破砕運搬スケジュールを確定し、その確定した破砕運搬スケジュールデータを破砕運搬スケジュール・テーブルに登録するものであるという手段を採用した。
【００２２】
また、請求項５では、上記請求項３に記載の発明において、紙再生処理管理手段は、機密文書排出側に近い紙再生側を紙再生側登録データベースからリストアップし、前記破砕運搬スケジュール・テーブルを参照して排出される紙質と分量のデータを取得し、上記紙再生側リストから適合する紙再生側に絞り込み、絞り込まれた紙再生側の紙再生処理スケジュールを紙再生側登録データベースから取得し、破砕屑の受け入れ可能な紙再生側に絞り込み、上記絞り込まれた紙再生側のリストと紙再生処理スケジュールを作成し、上記紙再生側リストと紙再生処理スケジュールを破砕運搬処理側にネットワークを介して送信提示して選択の指示を受け、破砕運搬処理側により選択された紙再生側に対し紙再生処理スケジュールを送信し承諾を得、紙再生側の承諾後、破砕運搬処理側に紙再生処理内容の再確認をし、紙再生処理スケジュールを確定し、その確定した紙再生処理スケジュールデータを紙再生処理スケジュール・テーブルに登録するものであるという手段を採用した。
【００２３】
また、請求項６では、上記請求項３に記載の発明において、再生製品生産管理手段は、紙再生処理を受託した紙再生側に近い再生製品生産側を再生製品生産側登録データベースからリストアップし、前記破砕運搬スケジュール・テーブルから機密文書排出側の再生製品購入の希望の有無、製品種別、数量などのデータを取得し、再生製品生産側登録データベースから適合する再生製品生産側をリストアップし、リストアップされた再生製品生産側の生産スケジュールデータを参照して生産受託可能な再生製品生産側に絞り込み、上記絞り込まれた再生製品生産側のリストと再生製品生産スケジュールを作成し、上記再生製品生産側リストと再生品生産スケジュールを機密文書排出側にネットワークを介して送信提示して選択の指示を受け、機密文書排出側により選択された再生製品生産側に対し再生製品生産スケジュールを送信し承諾を得、再生製品生産側の承諾後、機密文書排出側に再生製品生産内容の再確認をし、再生製品生産スケジュールを確定し、その確定した再生製品生産スケジュールデータを再生製品生産スケジュール・テーブルに登録するものであるという手段を採用した。
【発明の効果】
【００２４】
上記構成に係る機密古紙回収再生システムによれば、書類破砕機を搭載するとともに破砕屑の収容空間を有する破砕運搬車を使用して、機密文書を破砕、回収、収集し、機密文書の機密性を保ちつつ運搬効率を高めるとともに、再生パルプ化工程、再生紙化工程、再生製品生産工程の相互の連携を高め、機密古紙の排出から再生製品の生産、使用までのリサイクルの輪を効率よく運用し、商業ベースでの採算性を向上させることができる。また、リサイクルシステムを社会的に定着させることができる。
【００２５】
また、破砕運搬段階で破砕運搬車を効率運用でき、紙再生処理段階で再生工程の効率運用ができ、再生製品生産段階で製品化の効率運用ができる。
【００２６】
排出側データに適合する処理能力を持つ破砕運搬処理側をリストアップするので、破砕運搬処理側１社では処理しきれない機密文書排出側のニーズに対応することができる。
【００２７】
破砕運搬管理手段において、一定の条件に適合する破砕運搬処理側に絞り込むので、機密文書排出側と破砕運搬処理側の距離が遠距離すぎて採算ベースに乗らないケースを排除できるし、排出側と破砕運搬処理側相互の１対１の商談では取り引き不成立となるケースを防止できるので、古紙供給量の確保につながる。また、近距離移動ができるので、採算性の向上と運搬効率の向上につながる。
【００２８】
紙再生処理管理手段において、機密文書排出側に近い紙再生側をリストアップするので、機密文書排出場所と紙再生側との距離が遠距離すぎて採算ベースに乗らないケースを排除できるし、複数の紙再生側を候補とすることにより、破砕運搬処理側と紙再生側の相互の１対１の商談では取引不成立となるケースを防止できるので、古紙供給量の確保につながる。また、近距離移動ができるので、採算性の向上と運搬効率の向上につながる。
【００２９】
また、紙再生処理手段において、一定条件に適合する紙再生側に絞り込むので、排出される紙質により紙再生側を振り分けでき、上質紙系の再生紙の量を確保できる。
【００３０】
再生製品生産管理手段において、紙再生処理を受託した紙再生側に近い再生製品生産側をリストアップするので、紙再生処理場所と再生製品生産側との距離が遠距離すぎて採算ベースに乗らないケースを排除できるし、複数の再生製品生産側を候補とすることにより、紙再生側と再生製品生産側の相互の１対１の商談では取引不成立となるケースを防止できる。また、近距離移動ができるので、採算性の向上と運搬効率の向上につながる。
【００３１】
また、再生製品生産管理手段において、一定条件に適合する再生製品生産側に絞り込むので、希望する製品により再生製品生産側を選択することができる。通常、機密文書を排出する事業者は、業界が異なるため自身が、上記のような品目の生産発注を行うことに慣れていないし、知識を持たないので、本システムを利用することにより品目を指定するだけで簡単に再生製品を入手できるのは非常に便利である。従って、ただ単に古紙再生するというだけでなく再生製品を生産し利用することによる意識の向上、リサイクルの輪が完結し、再生製品が恒常的に入手できる環境が整い、リサイクルが理念上だけのものでなく実際の商業ベースに乗る基本条件作りに貢献できる。
【発明を実施するための最良の形態】
【００３２】
以下、本発明に係る機密古紙回収再生システムの実施形態を添付した図面に従って説明する。図１は本システムの概略を示す構成図である。本システムでは、インターネットに代表されるネットワーク１上に機密文書回収管理サーバ２を設置するとともに、機密文書排出側ネットワーク３、破砕運搬処理側ネットワーク４、紙再生側ネットワーク５、再生製品生産側ネットワーク６のそれぞれを上記ネットワーク１を介して接続し、各々が必要なデータを送受信して、機密文書回収管理サーバ２で機密文書の排出から再生製品の生産、使用までのリサイクルの輪を一元的に管理するものである。また、機密文書回収管理サーバ２にはセキュリティシステム７を導入し、各々の処理段階での機密の保持を図るものである。
【００３３】
機密文書排出側ネットワーク３は、例えば金融機関や生命保険会社などの集中処理センターから小事務所まで、機密文書を排出する様々な規模の一般の顧客で構成されている。破砕運搬処理側ネットワーク４は、例えば廃棄物処理業者、運送会社など破砕運搬車や据え置き型紙破砕機を所有する業者で構成されている。紙再生側ネットワーク５は、例えば再生パルプメーカー、製紙会社など古紙を溶解してパルプ化する設備を所有する業者で構成されている。再生製品生産側ネットワーク６は、例えば紙製品メーカー、印刷会社などで構成されている。
【００３４】
なお、機密文書回収管理サーバは、機密文書排出側登録データベース、破砕運搬側登録データベース、紙再生側登録データベース、再生製品生産側登録データベースを保有している。
【００３５】
また、セキュリティシステム７は、例えば、監視カメラ、施錠管理システム、顧客段階での機密文書の保管ツール（回収カート、回収箱など）、所在追跡システムなどの要素で構成される。
【００３６】
次に、機密文書回収管理サーバにおける処理の基本的な流れを図２に示すフローチャートで説明する。機密文書が排出されると、そのデータが機密文書回収管理サーバに送信される。機密文書回収管理サーバでは、破砕運搬管理手段、紙再生処理管理手段、再生製品生産管理手段を介して、データの最適化、スケジュール調整を行い、機密文書の破砕、運搬、再生紙化、再製品化が行われ、最終的に再生製品を機密文書排出側に納入し、リサイクルが完成する。破砕運搬管理手段では破砕運搬処理側を選択し、破砕運搬スケジュールが作成される。紙再生処理管理手段では紙再生側を選択し、紙再生処理スケジュールが作成される。また、再生製品生産管理手段では再生製品生産側を選択し、再生製品生産スケジュールが作成される。
【００３７】
具体的には、先ず機密文書の廃棄ニーズが発生すると、機密文書排出側は、自らの端末から排出側データを入力しネットワークを介して機密文書回収管理サーバに送信する。機密文書回収管理サーバでは、送信を受けた排出側データを機密文書排出側登録データベースに格納する。
【００３８】
機密文書排出側登録データベースには、例えば以下の項目が登録されている。
機密文書排出側ＩＤ
位置情報（所在地情報）
廃棄文書量
希望する処理時間／日時
廃棄文書の紙質
保管スペース（容量）
廃棄文書の増加ペース
廃棄処理用スペース（破砕運搬車の破砕作業時の駐車スペースの有無、広さ、または
道路使用許可の取得可否）
排出側敷地で破砕するか破砕運搬処理側の敷地で破砕するか
セキュリティ・レベルの希望情報
再生製品の購入希望情報
予算
【００３９】
次の破砕運搬管理手段では以下の作業を行う。
破砕運搬側登録データベースから排出側データに適合する処理能力を持つ破砕運搬処理側をリストアップする。リストアップされた破砕運搬処理側を機密文書排出側に短時間で到達できる順に並べ替える。リストアップされた破砕運搬処理側の所有する破砕運搬車の稼働スケジュールデータを参照し、機密文書排出側の希望する処理日程に適合する破砕運搬処理側に絞り込む。絞り込まれた破砕運搬処理側のリストとその破砕運搬スケジュールを作成する。上記破砕運搬処理側リストと破砕運搬スケジュールを機密文書排出側に送信提示し、選択の指示を受ける。機密文書排出側により選択された破砕運搬処理側に対し、その破砕運搬スケジュールを送信し承諾を得る。破砕運搬処理側の承諾後、機密文書排出側に破砕運搬内容の再確認をし、破砕運搬スケジュールを確定する。確定した破砕運搬スケジュールデータを破砕運搬管理手段の破砕運搬スケジュール・テーブルに登録する。
【００４０】
破砕運搬側登録データベースには、例えば以下の項目が登録されている。
破砕運搬処理側ＩＤ
位置情報（所在地情報）
破砕運搬車情報（破砕能力、破砕屑積載能力、台数、車のサイズ、現在の稼働スケジ
ュール）
据え置き型破砕機情報（破砕能力、台数）
破砕屑の一時貯留容量（ストックヤードの広さ、現在の空き状況）
搬送車両の搬送能力情報（廃棄文書の引き取り搬送、再生製品の納品搬送）
セキュリティ信頼度情報（プライバシーマーク取得の有無、管理体制情報）
【００４１】
次の紙再生処理管理手段では以下の作業を行う。
紙再生側登録データベースから機密文書排出側に近い紙再生側をリストアップする。破砕運搬スケジュール・テーブルを参照し、排出される紙質と分量データを取得し、上記紙再生側リストから適合する紙再生側に絞り込む。絞り込まれた紙再生側の紙再生処理スケジュールを紙再生側登録データベースから取得し、破砕屑の受け入れ可能な紙再生側に絞り込む。上記絞り込まれた紙再生側のリストと紙再生処理スケジュールを作成する。上記紙再生側リストと紙再生処理スケジュールを破砕運搬処理側に送信提示し、選択の指示を受ける。破砕運搬処理側により選択された紙再生側に対し紙再生処理スケジュールを送信し承諾を得る。紙再生側の承諾後、破砕運搬処理側に紙再生処理内容の再確認をし、紙再生処理スケジュールを確定する。確定した紙再生処理スケジュールデータを紙再生処理管理手段の紙再生処理スケジュール・テーブルに登録する。
【００４２】
紙再生側登録データベースには、例えば以下の項目が登録されている。
紙再生側ＩＤ
位置情報（所在地情報）
破砕屑貯留情報（ストックヤードの広さ、現在の空き状況）
破砕屑処理＝再生パルプ化能力、現在の操業スケジュール
受け入れ可能な紙の種類と量
再生可能な紙の種類と量
【００４３】
次の再生製品生産管理手段では以下の作業を行う。
再生製品生産側登録データベースから紙再生処理を受託した紙再生側に近い再生製品生産側をリストアップする。破砕運搬スケジュール・テーブルから機密文書排出側の再生製品購入の希望の有無、製品種別、数量などのデータを取得し、再生製品生産側登録データベースから適合する再生製品生産側をリストアップする。リストアップされた再生製品生産側の生産スケジュールデータを参照し、生産受託可能な再生製品生産側に絞り込む。上記絞り込まれた再生製品生産側のリストと再生製品生産スケジュールを作成する。上記再生製品生産側リストと再生品生産スケジュールを機密文書排出側に送信提示し、選択の指示を受ける。機密文書排出側により選択された再生製品生産側に対し再生製品生産スケジュールを送信し承諾を得る。再生製品生産側の承諾後、機密文書排出側に再生製品生産内容の再確認をし、再生製品生産スケジュールを確定する。確定した再生製品生産スケジュールデータを再生製品生産管理手段の再生製品生産スケジュール・テーブルに登録する。
【００４４】
再生製品生産側登録データベースには、例えば以下の項目が登録されている。
再生製品生産側ＩＤ
位置情報（所在地情報）
生産品目
生産能力
【００４５】
最後に、再生製品生産側は再生製品を生産し、機密文書排出側に納入する。
【００４６】
上記流れによって、機密文書について、その機密性を保持しつつ、破砕処理し、回収し、古紙として再生パルプ化し、再生紙を生産し、更に再生製品を生産するといった、リサイクルの輪をネットワーク上で実現するものである。
【００４７】
次に、より詳細な工程を図３から図６に示す全体フローチャートによって説明する。
機密文書排出側は、自らの保管する機密文書を処分するときに、機密文書回収管理サーバに自らの端末からアクセスし、自らの所在地データ（位置情報）、排出する機密文書の紙質（上質紙のみか他の紙種との混合か）、量（重量）希望する排出完了日時、現在機密文書を保管している保管場所の空きスペース容量、保管する機密文書の増加ペース、破砕運搬車の駐車スペースの有無と面積情報、予備的に道路使用許可の取得の可否、自社敷地内に破砕運搬車の駐車スペースが無い場合に破砕運搬処理側にその敷地内での破砕作業を委託希望するかどうか、セキュリティ・レベルの選択の有無や要求レベルの度合い（プライバシーマーク認定業者か、管理体制の確立度合いでの選択でよいか、特に配慮不要か）、再生製品の希望の有無、希望製品種別・数量情報、破砕運搬処理に対する支出可能な予算の枠、などを入力し、機密文書回収管理サーバに送信する。
【００４８】
機密文書回収管理サーバ側で、破砕運搬管理手段により、受信した上記の機密文書排出側データを機密文書排出側登録データベースに格納し、機密文書排出側ＩＤを発行する。
【００４９】
破砕運搬管理手段には、参照データとして、破砕運搬スケジュール・テーブル及び道路地図情報を装備しており、各データベースを参照しつつ機密文書を破砕するまでの工程を管理する。破砕運搬スケジュール・テーブルには、対象排出側のデータと破砕運搬処理側の所有する破砕運搬車及び据え置き型破砕機の稼働スケジュール情報及び破砕運搬車・据え置き型破砕機の能力情報などの参照情報が格納され、スケジュール情報は順次更新される。
【００５０】
次に、破砕運搬管理手段において、受信した排出側データの内、排出する機密文書量を機密文書排出側登録データベースから取得し、あらかじめ設定されている最低排出量を越えているかどうか判定する。あらかじめ設定する最低排出量は、破砕運搬車が１車１回で破砕収容できる数量を設定する。
【００５１】
ここで、最低排出量に満たない場合は、サブ・ルーチンに入り、破砕運搬スケジュール・テーブルの小口一時留保（記憶）ファイルに登録する。そこで破砕運搬スケジュール・テーブルの小口一時留保（記憶）ファイルから他の排出側の一時留保（記憶）データを呼び出し、破砕処理希望日時の近いものを抽出する。たとえば、破砕処理希望日時データが２４時間以内の範囲のものを抽出し候補としてリストアップする。リストアップした排出側の排出量を合計し、最低排出量に達したら次のステップに進む。合計が最低排出量に達しない場合は、再び破砕運搬スケジュール・テーブルの小口一時留保（記憶）ファイルに戻し、以後同様の処理を繰り返す。排出側の破砕処理希望日時まで、あらかじめ設定した日数前、たとえば１週間前になった場合は、別途破砕処理場までの持ち込み破砕処理の提案を作成し、排出側に送信し提示する。破砕処理希望日時までのリードタイムはサーバ管理者において処理進行状況に合わせ設定を自由に変更することができる。
【００５２】
このような処理を行うことにより、通常の処理では採算ベースに乗らない小口の機密文書排出側を網羅することができ、古紙供給の一定量以上の確保ができる。
【００５３】
次に、排出量が最低排出量を満たしている場合、破砕運搬管理手段により、破砕運搬側登録データベースから、排出側の排出量データに見合う処理能力を持つ登録破砕運搬処理側をリストアップする。たとえば、排出量が最低排出量の１トンであった場合は、破砕運搬車を１台以上所有する破砕運搬処理側すべてがリストアップされる。排出量が５トンであった場合は、破砕運搬車を５台所有するもの１社を選択するか、そのようなものが存在しない場合は、２台所有しているものと３台所有しているものの組み合わせなど、組み合わせ演算を行う。
【００５４】
この処理能力によるリストアップ処理において破砕運搬処理側の破砕屑貯留情報を参照し、単純に処理能力と稼働スケジュールを参照するのでなく、一時ストックヤードに貯留する選択肢をも検討する。
【００５５】
このような処理を行うことにより、破砕運搬処理側１社では処理しきれない機密文書排出側のニーズに対応することができる。
【００５６】
破砕運搬側登録データベースには、破砕運搬車を所有し、このシステム運用に参加している破砕運搬処理側の以下のデータを登録格納している。なお、破砕運搬処理側とは、破砕運搬車を所有しているか自らの施設に据え置き型（移動しない固定型）の紙破砕機を所有する古紙回収業者、廃棄物処理業者、運送会社、事務用品販売業者（オフィス・官庁への納品業者、文具・事務用品卸売業・小売業）などが含まれる。以上の破砕運搬処理側の、破砕運搬処理側ＩＤ、所在情報（位置情報）破砕運搬車情報（破砕運搬車の台数・各車の破砕機の破砕能力＝時間あたりの破砕重量、破砕屑の積載容量、車自体のサイズ＝駐車スペースの確保のための補助情報、稼働スケジュール）、据え置き型破砕機情報（破砕機の台数・破砕能力＝時間あたりの破砕重量、稼働スケジュール）、破砕屑の一時貯留容量（ストックヤードの面積・空き情報＝スケジュール含む）、破砕運搬車以外の所有搬送車（いわゆるトラックなど）の所有台数・車種・稼働スケジュール＝空き情報、セキュリティ信頼度情報（プライバシーマーク認定取得の有無、管理体制の確立度合い評価情報）などが破砕運搬側登録データベースに格納され、順次データが更新される。
【００５７】
次に、リストアップされた破砕運搬処理側それぞれの位置情報（所在地情報）を破砕運搬側登録データベースから呼び出すとともに、排出側の位置情報（所在地情報）を機密文書排出側登録データベースから呼び出し、あらかじめ破砕運搬管理手段に格納されている道路地図情報と照合して、破砕運搬車が各破砕運搬処理側の所在地から排出側の所在地に到達する時間を割り出す。到達時間が、あらかじめ設定した設定時間数を下回るものに絞り込む。
【００５８】
このような処理を行うことにより、機密文書排出側と破砕運搬処理側の距離が遠距離すぎて採算ベースに乗らないケースを排除できるし、排出側と破砕運搬処理側相互の１対１の商談では取引不成立となるケースを防止できるので、古紙供給量の確保につながる。また、近距離移動ができるので、採算性の向上と運搬効率の向上につながる。
【００５９】
絞り込まれた破砕運搬処理側のリストを作成し、破砕運搬処理側の所有する破砕運搬車の稼働スケジュール・データを破砕運搬管理手段が管理する破砕運搬スケジュール・テーブルから呼び出し、排出側の破砕処理希望日時データと照合し、スケジュールが一致するかどうかを判定する。不一致の破砕運搬処理側をリストから外し、一致するもののみをリストに残す。
【００６０】
絞り込まれた破砕運搬処理側リストにおいて再度、排出量に応じた破砕運搬処理側の組み合わせ作業を行う。この時点で、１社単独、何社かのグループなどがあり得る。そこで、排出側の排出量と希望する処理時間のデータと照合しつつ各社各グループの破砕運搬スケジュールを作成する。排出側の希望する処理時間を参照するのは、機密文書の性格上、排出側の担当者が破砕処理時間中その場に立ち会い、破砕が確実に行われたかどうかを確認する場合があり、担当者がその間その場を離れることができないため、希望時間内に破砕処理を終了する必要があるためである。
【００６１】
作成された破砕運搬スケジュールを排出側に送信して提示し、排出側はスケジュール案の内、最も希望にかなうスケジュール案を選択指示する。もし、排出側がすべてのスケジュール案を選択しない場合は、申し込みステップに戻り、再度、希望条件データを入力する。
【００６２】
排出側が少なくとも１つのスケジュール案を選択した場合、排出側から選択された破砕運搬処理側（またはグループ）に破砕スケジュールを送信提示し、承諾を得る。承諾を得た段階で、複数のスケジュール案が残った場合は、最も採算性の良いスケジュール案を採用し、排出側及び破砕運搬処理側（またはグループ）に確定スケジュールとして送信通知する。
【００６３】
確定した破砕運搬スケジュールを破砕運搬スケジュール・テーブルに登録し、スケジュール・テーブルを更新する。
【００６４】
次に、機密文書破砕後の工程について説明する。
破砕運搬スケジュール決定後に、紙再生処理管理手段において、前記確定した破砕運搬スケジュールの排出側データから排出側の所在地情報（位置情報）を取得し、紙再生側登録データベースから紙再生側の所在地情報（位置情報）を取得して、道路地図情報を参照して排出側の所在地から紙再生側の所在地までの破砕運搬車での到達時間を割り出す。到達時間が、あらかじめ設定した設定時間数を下回る紙再生側に絞り込む。
【００６５】
このような処理を行うことにより、機密文書排出場所と紙再生側との距離が遠距離すぎて採算ベースに乗らないケースを排除できるし、複数の紙再生側を候補とすることにより、破砕運搬処理側と紙再生側の相互の１対１の商談では取引不成立となるケースを防止できるので、古紙供給量の確保につながる。また、近距離移動ができるので、採算性の向上と運搬効率の向上につながる。
【００６６】
紙再生処理管理手段には、参照データとして、紙再生処理スケジュール・テーブル及び道路地図情報を装備しており、各データベースを参照しつつ破砕された機密文書屑を再生し再生紙を生産する工程を管理する。紙再生処理スケジュール・テーブルには各紙再生側の処理可能紙質情報、処理可能数量などの参照情報と、各紙再生側の稼働スケジュール情報が格納され、スケジュール情報は順次更新される。
【００６７】
紙再生側登録データベースには、紙再生処理設備を有し、このシステム運用に参加している紙再生側の以下のデータを登録格納している。なお、紙再生側とは、古紙再生処理設備、すなわち古紙を溶解してパルプ化する設備＝パルパーを所有するものであって、パルプ化専業会社とパルプ化設備を内部に所有する製紙会社が含まれる。なお、製紙会社の場合、後述する再生製品化の工程において、目的とする再生製品が家庭衛生紙（トイレットペーパー、ティッシュペーパー）の場合は再生製品生産側をも兼ねる場合がある。以上の紙再生側の、紙再生側ＩＤ、所在情報（位置情報）、破砕屑一時貯留能力情報（ストックヤードの広さ、現在の空き情報＝スケジュール含む）、紙再生能力情報（溶解再パルプ化能力、現在の操業スケジュール＝空き情報）、受け入れ可能な紙質（上質古紙だけか、混合古紙も可能か）情報などが、紙再生側登録データベースに格納され、順次データが更新される。
【００６８】
次に、絞り込まれた紙再生側のリストを作成し、リストされた紙再生側の処理可能紙質及び分量のデータと排出される紙質と分量情報（破砕運搬スケジュール・テーブルから取得）を比較照合し、条件が適合する紙再生側に絞り込む。
【００６９】
例えば、排出される機密文書が上質紙のみで構成されている場合、再生上質紙を生産できる紙再生側に処理を依頼する。上質紙のみの場合、溶解再パルプ化の工程が混合古紙と比べ設備が少なくて済むので処理可能な側が多く選択可能側が多い。
【００７０】
一方、排出される機密文書が上質紙以外のもの、たとえば複写紙すなわち感熱紙・感圧紙（熱または圧により発色する顔料が塗布されている）、印刷物（カラー印刷物の場合、印刷品質向上のためコート紙・アート紙など上質紙の表面に鉱物性顔料（クレイ、炭酸カルシウムなど）を接着剤と混合した塗料を塗った紙が使用されている）が混入している混合古紙の場合、溶解再パルプ化の前工程において紙の繊維以外のものを除去する工程・装置が必要となる。そのような工程・装置を備えた紙再生側をデータベースから抽出して選択する必要がある。条件に適合する数が限られてくるので、データベースから複数を選択できると便利である。
【００７１】
このような処理を行うことにより、排出される紙質により紙再生側を振り分けでき上質紙系の再生紙の数量を確保できる。
【００７２】
次に、絞り込まれた紙再生側の紙再生スケジュールを紙再生スケジュール・テーブルから取得し、破砕運搬スケジュール・テーブルから破砕運搬スケジュール・データを取得して、スケジュールが一致する紙再生側に絞り込む。
【００７３】
この絞り込み処理において、紙再生側の破砕屑貯留情報及び破砕屑処理能力情報を参照し、単純に処理能力と稼働スケジュールを参照するのでなく一時ストックヤードに貯留する選択肢をも検討する。
【００７４】
絞り込まれた各紙再生側（またはグループ）のそれぞれの紙再生処理スケジュールを作成する。
【００７５】
作成された紙再生処理スケジュールを破砕運搬処理側に送信して提示し、破砕運搬処理側はスケジュール案の内、最も希望にかなうスケジュール案を選択指示する。もし、破砕運搬処理側がすべてのスケジュール案を選択しない場合は、再度、紙再生側の位置情報比較処理ステップに戻り、排出側と紙再生側の距離設定（到達時間設定条件）を緩くして（距離・時間を採算点限界まで伸ばして）再処理を実行する。
【００７６】
破砕運搬処理側が、少なくとも１つのスケジュール案を選択した場合、破砕運搬処理側から選択された紙再生側（またはグループ）に紙再生処理スケジュールを送信提示し、承諾を得る。承諾を得た段階で、複数のスケジュール案が残った場合は、最も採算性の良いスケジュール案を採用し、破砕運搬処理側及び紙再生側（またはグループ）に確定スケジュールとして送信通知する。
【００７７】
確定した紙再生処理スケジュールを紙再生処理スケジュール・テーブルに登録し、スケジュール・テーブルを更新する。
【００７８】
次に破砕屑の再生処理後の工程について説明する。
紙再生処理スケジュール決定後に、再生製品生産管理手段において、前記確定した紙再生処理スケジュールの紙再生側データから紙再生側の所在情報（位置情報）を取得し、再生製品生産側登録データベースから再生製品側の所在情報（位置情報）を取得して、道路地図情報を参照して紙再生側の所在地から再生製品生産側までの再生紙搬送車の到達時間を割り出す。到達時間が、あらかじめ設定した設定時間数を下回る再生製品生産側に絞り込む。
【００７９】
このような処理を行うことにより、紙再生処理場所と再生製品生産側との距離が遠距離すぎて採算ベースに乗らないケースを排除できるし、複数の再生製品生産側を候補とすることにより、紙再生側と再生製品生産側の相互の１対１の商談では取引不成立となるケースを防止できる。また、近距離移動ができるので、採算性の向上と運搬効率の向上につながる。
【００８０】
再生製品生産理管理手段には、参照データとして、再生製品生産スケジュール・テーブル及び塘路地図情報を装備しており、各データベースを参照しつつ再生された再生紙を活用して再生製品を生産する工程を管理する。再生製品生産スケジュール・テーブルには各再生製品生産側の生産可能品目データと生産能力などの参照情報と稼働スケジュール情報が格納され、スケジュール情報は順次更新される。
【００８１】
再生製品生産側登録データベースには、再生製品生産設備を有し、このシステム運用に参加している再生製品生産側の以下のデータを登録格納している。なお、再生製品生産側とは、紙再生側と兼ねる製紙会社（製品はトイレットペーパー、ティッシュペーパー、コピー用紙）、を始め、ノートメーカー（ノート、メモ帳）、ファイルメーカー（紙製ファイル、クリップボード、ファイルボックス）、紙器メーカー（ファイルボックス、紙器）、印刷会社（雑誌印刷など）で構成する。以上の再生製品生産側の、再生製品生産側ＩＤ、所在情報（位置情報）、製品生産能力情報（生産数量、現在の操業スケジュール＝空き情報）、生産品目情報などが、再生製品生産側登録データベースに格納され、順次データが更新される。
【００８２】
次に、絞り込まれた再生製品生産側のリストを作成し、リストされた再生製品生産側の生産可能品目情報と生産能力情報と、排出側の希望する再生製品の品目、数量情報（機密文書排出側登録データベースから取得）を比較照合し、条件が適合する再生製品生産側に絞り込む。
【００８３】
このような処理を行うことにより、希望する製品により再生製品生産側を選択することができる。通常、機密文書を排出する事業者は、業界が異なるため自身が、上記のような品目の生産発注を行うことに慣れていないし、知識を持たないので、本システムを利用することにより品目を指定するだけで簡単に再生製品を入手できるのは非常に便利である。従って、ただ単に古紙再生するというだけでなく再生製品を生産し利用することによる意識の向上、リサイクルの輪が完結し、再生製品が恒常的に入手できる環境が整い、リサイクルが理念上だけのものでなく実際の商業ベースに乗る基本条件作りに貢献できる。
【００８４】
次に、絞り込まれた再生製品生産側の製品生産スケジュールを再生製品生産スケジュール・テーブルから取得し、機密文書排出側登録データベースから排出側の製品の希望納期データを取得して、スケジュールが一致する再生製品生産側に絞り込む。
【００８５】
絞り込まれた各再生製品生産側（またはグループ）のそれぞれの再生製品生産スケジュールを作成する。
【００８６】
作成された再生製品生産スケジュールを機密文書排出側に送信して提示し、排出側はスケジュール案の内、最も希望にかなうスケジュール案を選択指示する。もし、排出側がすべてのスケジュール案を選択しない場合は、再度、再生製品生産側の位置情報比較処理ステップに戻り、紙再生側と再生製品生産側の距離設定（到達時間設定条件）を緩くして（距離・時間を採算点限界まで伸ばして）再処理を実行する。
【００８７】
排出側が、少なくとも１つのスケジュール案を選択した場合、排出側から選択された再生製品生産側（またはグループ）に再生製品生産スケジュールを送信提示し、承諾を得る。承諾を得た段階で、複数のスケジュール案が残った場合は、最も採算性の良いスケジュール案を採用し、排出側及び再生製品生産側（またはグループ）に確定スケジュールとして送信通知する。
【００８８】
確定した再生製品生産スケジュールを再生製品生産スケジュール・テーブルに登録し、スケジュール・テーブルを更新する。
【００８９】
最後に生産された再生製品を排出側に納品する。この納品については、再生製品生産側が行っても良いし、再生製品生産側において納品手段（搬送手段）が無い場合には、破砕運搬側登録データベースより、搬送手段（トラック）を所有する破砕運搬処理側をリストアップし、排出側・破砕運搬処理側・再生製品生産側の３者の位置情報を各データベースから取得し、道路地図情報と照合して３者間の最短移動時間または距離の破砕運搬処理側を選択して納品を行っても良い。
【図面の簡単な説明】
【００９０】
【図１】本発明に係る機密古紙回収再生システムの概略を示す構成図である。
【図２】機密文書回収管理サーバにおける処理の基本的な流れを示すフローチャートである。
【図３】機密文書回収管理サーバにおけるより詳細な工程を示すフローチャートの一部である。
【図４】機密文書回収管理サーバにおけるより詳細な工程を示すフローチャートの一部である。
【図５】機密文書回収管理サーバにおけるより詳細な工程を示すフローチャートの一部である。
【図６】機密文書回収管理サーバにおけるより詳細な工程を示すフローチャートの一部である。
【符号の説明】
【００９１】
１    ネットワーク
２    機密文書回収管理サーバ
３    機密文書排出側ネットワーク
４    破砕運搬処理側ネットワーク
５    紙再生側ネットワーク
６    再生製品生産側ネットワーク
７    セキュリティシステム
【図１】
2005041664.tif 000003
【図２】
2005041664.tif 000004
【図３】
2005041664.tif 000005
【図４】
2005041664.tif 000006
【図５】
2005041664.tif 000007
【図６】
2005041664.tif 000008